(57)【要約】【課題】背負式送風作業機の通風管に設けたグリップを長手方向に移動可能に取り付けても、グリップに設けたスロットルレバーの操作量（引き代）に対するエンジンの出力が変わらないようにする。【解決手段】背負式送風作業機１０は、背負フレーム１１に搭載したブロワユニット２０の空気を通過させる通風ダクト２１ａに連通接続させた通風管３０と、通風管３０にその長手方向にて位置調整可能に取り付けたグリップ３４と、グリップ３４に設けたスロットルレバー３５と、スロットルレバー３５の操作をスロットルバルブ２３ｂに伝達するスロットルワイヤ４１とを備え、通風管３０にはその長手方向に延出するとともに移動可能に支持され、スロットルワイヤ４１の他端が固定されたスロットルロッド４２と、スロットルレバー３５の操作をスロットルロッド４２の長手方向の移動として伝達する第１伝達機構４４とを設け、第１伝達機構４４をスロットルロッド４２の長手方向に移動可能に取り付けた。【選択図】図２
2017048772.tif 000002
【特許請求の範囲】
【請求項１】
作業者が背負う背負フレームと、
前記背負フレームに搭載されて、エンジンにより駆動されるファンの回転によって吸引した空気を噴出するブロワユニットと、
前記ブロワユニットの空気を通過させる通風ダクトに連通接続させた通風管と、
前記通風管にその長手方向にて位置調整可能に取り付けたグリップと、
前記グリップに設けられて、前記エンジンのスロットルバルブの開度調整の操作をするスロットルレバーと、
一端が前記エンジンのスロットルバルブに接続され、前記スロットルレバーの操作を前記スロットルバルブに伝達するスロットルワイヤとを備えた送風作業機であって、
前記通風管にはその長手方向に延出するとともにその長手方向に移動可能に支持され、前記スロットルワイヤの他端が固定されたスロットルロッドと、
前記スロットルレバーと前記スロットルロッドとに接続され、前記スロットルレバーの操作を前記スロットルロッドの長手方向の移動として伝達する第１伝達機構とを設け、
前記第１伝達機構を前記スロットルロッドの長手方向に移動可能に取り付けたことを特徴とする背負式送風作業機。
【請求項２】
請求項１に記載の送風作業機において、
前記スロットルロッドをその周方向に回動可能となるように前記通風管に支持させ、
前記通風管に前記エンジンの駆動を停止させる停止スイッチと、
前記スロットルロッドに取り付けられて、前記スロットルロッドを回動させたときに前記停止スイッチを押動する押動部材と、
前記グリップに設けられて、前記エンジンの駆動を停止させるように操作するストップレバーと、
前記ストップレバーと前記スロットルロッドとに接続されて、前記ストップレバーの操作により前記スロットルロッドを回動させる第２伝達機構とを備え、
前記第２伝達機構を前記スロットルロッドの長手方向に移動可能に取り付けたことを特徴とする背負式送風作業機。
【発明の詳細な説明】
【技術分野】
【０００１】
本発明は、作業者が背負って落葉等の清掃作業に用いる背負式ブロワ、背負式集塵機等の背負式送風作業機に関し、特に作業者が把持するグリップを空気が通過する通風管に長手方向に移動可能に取り付けた背負式送風作業機に関する。
【背景技術】
【０００２】
特許文献１には背負式ブロワが開示されており、この背負式ブロワは作業者が背負う背負フレームと、背負フレームに搭載されて、エンジンにより駆動されるファンの回転によって吸引した空気を噴出するブロワユニットと、ブロワユニットの空気を噴出させる噴出ダクトに連通接続させた送風管と、送風管に取り付けた作業者が把持するグリップとを備えている。グリップにはエンジンのスロットルバルブの開度調整をすることでエンジンの出力を調整操作をするためのスロットルレバーが設けられており、スロットルレバーはスロットルワイヤによってエンジンのスロットルバルブに接続されている。スロットルレバーを操作すると、スロットルワイヤがスロットルレバーの操作量に応じた長さで引っ張られ、エンジンのスロットルバルブがスロットルワイヤの引っ張られた長さに応じた開度で開放され、エンジンはスロットルバルブの開度に応じた出力で駆動する。エンジンの駆動によってファンを回転させると、噴出ダクトから空気が噴き出され、噴出ダクトから噴き出された空気は送風管によって地面等に導かれ、作業者の前側の地面に広範囲に散る落葉等が吹き集められる。
【先行技術文献】
【特許文献】
【０００３】
【特許文献１】特開２０１５−０８３８１８号公報
【発明の概要】
【発明が解決しようとする課題】
【０００４】
特許文献１の背負式ブロワにおいては、背負フレームを背負った作業者は送風管に取り付けたグリップを把持して使用するものであるが、作業者の体格に応じてグリップを送風管の長手方向に移動可能に取り付けるようにすれば、作業者は自分の体格に応じた位置でグリップを把持することができる。しかし、スロットルワイヤの長さを送風管の先端側にグリップを取り付けることを想定した長さとすると、グリップを送風管の基端側に取り付けたときに、スロットルワイヤが弛んで、スロットルレバーの引き代（操作量）が変わり、スロットルレバーの引き代に対するエンジンの出力が変わる問題があった。本発明は、背負式送風作業機の通風管に設けたグリップを長手方向に移動可能に取り付けても、グリップに設けたスロットルレバーの操作量（引き代）に対するエンジンの出力が変わらないようにすることを目的とする。
【課題を解決するための手段】
【０００５】
上記課題を解決するために、本発明は、作業者が背負う背負フレームと、背負フレームに搭載されて、エンジンにより駆動されるファンの回転によって吸引した空気を噴出するブロワユニットと、ブロワユニットの空気を通過させる通風ダクトに連通接続させた通風管と、通風管にその長手方向にて位置調整可能に取り付けたグリップと、グリップに設けられて、エンジンのスロットルバルブの開度調整の操作をするスロットルレバーと、一端がエンジンのスロットルバルブに接続され、スロットルレバーの操作をスロットルバルブに伝達するスロットルワイヤとを備えた送風作業機であって、通風管にはその長手方向に延出するとともに移動可能に支持され、スロットルワイヤの他端が固定されたスロットルロッドと、スロットルレバーとスロットルロッドに接続され、スロットルレバーの操作をスロットルロッドの長手方向の移動として伝達する第１伝達機構とを設け、第１伝達機構をスロットルロッドの長手方向に移動可能に取り付けたことを特徴とする背負式送風作業機を提供するものである。
【０００６】
上記のように構成した背負式送風作業機においては、スロットルレバーを操作すると、スロットルロッドが第１伝達機構によりスロットルレバーの操作量に応じた移動量で長手方向に移動し、スロットルロッドの長手方向の移動量に応じてスロットルワイヤが引っ張られ、エンジンのスロットルバルブはスロットルレバーの操作量に応じた開度で開放され、エンジンはスロットルバルの開度に応じた出力で駆動する。グリップを通風管の長手方向に移動させたときに、第１伝達機構をグリップとともにスロットルロッドに長手方向に移動させて取り付けるようにすることで、スロットルワイヤはグリップの位置に関わらず弛まないようになる。これにより、グリップの位置に関わらず、スロットルレバーの操作量に応じてスロットルワイヤを一定に引っ張ることができ、スロットルレバーの操作量に対するエンジンの出力を一定とすることができた。
【０００７】
上記のように構成した背負式送風作業機においては、スロットルロッドをその周方向に回動可能となるように通風管に支持させ、通風管にエンジンの駆動を停止させる停止スイッチと、スロットルロッドに取り付けられて、スロットルロッドを回動させたときに停止スイッチを押動する押動部材と、グリップに設けられて、エンジンの駆動を停止させるように操作するストップレバーと、ストップレバーとスロットルロッドとに接続されて、ストップレバーの操作によりスロットルロッドを回動させる第２伝達機構とを備え、第２伝達機構をスロットルロッドの長手方向に移動可能に取り付けるのが好ましい。ストップレバーを操作すると、スロットルロッドが第２伝達機構により回動し、スロットルロッドの回動によって押動部材が停止スイッチを押動し、エンジンが停止スイッチの押動によって停止する。グリップを通風管の長手方向に移動させたときには、第２伝達機構をグリップとともにスロットルロッドに長手方向に移動させて取り付けることで、ストップレバーの操作によってエンジンの駆動を停止させることができる。これにより、グリップの位置に関わらず、ストップレバーの操作によってエンジンの駆動を停止させることができるようになった。
【図面の簡単な説明】
【０００８】
【図１】本発明の一実施形態である背負式ブロワの側面図である。
【図２】スロットルレバーの操作をスロットルバルブの開閉動作に伝達する機構の概略図であり、スロットルレバーを操作してないときの概略図（ａ）と、スロットルレバーを操作したときの概略図である。
【図３】図２のＡ−Ａ線の断面図である。
【図４】図２のＢ−Ｂ線の断面図である。
【図５】スロットルレバーの操作をスロットルバルブの開閉動作に伝達する機構の概略図であり、グリップを移動させる前の概略図（ａ）と、グリップを移動させた後の概略図（ｂ）である。
【図６】本発明の他の実施形態である背負式集塵機の側面図である。
【発明を実施するための最良の形態】
【０００９】
以下、本発明の背負式送風作業機の一実施形態である背負式ブロワを添付図面を参照して説明する。図１に示したように、背負式ブロワ１０は、作業者が背負う背負フレーム１１と、背負フレーム１１に搭載されて、エンジン２３により駆動される遠心ファン（ファン）２２の回転によって吸引した空気を噴出するブロワユニット２０と、ブロワユニット２０の空気を噴出（通過）させる噴出ダクト（通風ダクト）に連通接続させた送風管（通風管）３０とを備えている。
【００１０】
図１に示したように、背負フレーム１１は作業者がブロワユニット２０を背負って運ぶためのものである。背負フレーム１１は、作業者の背中に沿って配置される背板部１２と、背板部１２の下端から後方に延びる台座部１３とからなり、側面から見た形状がＬ字形をしている。
【００１１】
ブロワユニット２０は、背負フレーム１１に搭載したボリュート２１と、ボリュート２１内に回転可能に設けた遠心ファン２２と、遠心ファン２２を回転させるエンジン（原動機）２３とを備えている。ボリュート２１は前側に空気を吸い込む吸気口と、右側部に吸い込んだ空気を噴出させる筒形の噴出ダクト２１ａとを備えている。ボリュート２１内には遠心ファン２２が設けられ、ボリュート２１の後側にはエンジン２３が一体的に組み付けられ、エンジン２３の駆動軸にはボリュート２１内にて遠心ファン２２が固定されている。図２に示したように、エンジン２３のキャブレタ２３ａにはスロットルバルブ２３ｂ設けられており、スロットルバルブ２３ｂの開度を調整することにより、エンジンの出力（駆動軸の回転速度）が調整される。エンジン２３の駆動によって遠心ファン２２を回転させると、ボリュート２１の前側の吸気口から空気が吸い込まれ、吸い込まれた空気は噴出ダクト２１ａから噴き出される。
【００１２】
ボリュート２１の噴出ダクト２１ａには送風管（通風管）３０が接続されている。送風管３０は、噴出ダクト２１ａに回転可能に接続されたエルボ管３１と、エルボ管３１に接続された蛇腹状のフレキシブル管３２と、フレキシブル管３２に接続された真直管３３とを備えている。真直管３３には作業者が把持するグリップ３４が設けられており、グリップ（グリップハンドル）３４は真直管３３の長手方向（軸線方向）に移動可能に取り付けられている。また、図２に示したように、真直管３３には後述するスロットルロッド４２を長手方向（軸線方向）に沿って移動可能に支持する凹溝３３ａが長手方向に沿って形成されている。
【００１３】
図２に示したように、グリップ３４にはエンジン２３の出力を調整操作するスロットルレバー３５と、エンジン２３の駆動（アイドリング状態の駆動）を停止操作するストップレバー３６とが設けられている。スロットルレバー３５はトリガタイプの操作レバーであり、上端部の回動軸部３５ａがグリップ３４に左右方向の水平軸線回りに回動可能に支持されている。スロットルレバー３５の上端部には後方に延びるアーム部３５ｂが設けられており、アーム部３５ｂはスロットルレバー３５の回動軸部３５ａを中心とした回動によって上下動する。グリップ３４内にはスロットルレバー３５の下端部をグリップ３４から離れるように付勢するコイルスプリングよりなる付勢部材３７が設けられている。図２（ｂ）に示したように、スロットルレバー３５の下端部を付勢部材３７の付勢力に抗してグリップ３４側に移動させると、アーム部３５ｂが回動軸部３５ａを中心に上動し、エンジン２３のスロットルバルブ２３ｂが開放され、エンジン２３の出力が増加するように操作される。
【００１４】
ストップレバー３６はエンジン２３の駆動を停止操作するものである。ストップレバー３６の前端部は左右方向の水平軸線回りに回動可能に支持され、ストップレバー３６の後端部はグリップ３４から後方に突出している。ストップレバー３６の後端部を上方に回動させると、エンジン２３の駆動を停止させる停止スイッチ４５がオン操作され、エンジン２３の駆動が停止するように操作される。
【００１５】
図２に示したように、エンジン２３のスロットルバルブ２３ｂとスロットルレバー３５との間には、スロットルワイヤ４１と、スロットルロッド４２と、第１伝達機構４４とが設けられている。スロットルワイヤ４１の一端はスロットルバルブ２３ｂに接続されており、スロットルワイヤ４１の引いた長さに応じてスロットルバルブ２３ｂが開放される。スロットルワイヤ４１の他端はスロットルロッド４２の基端（一端）に接続されている。スロットルロッド４２は送風管３０の真直管３３に形成した凹溝３３ａ内に長手方向に移動可能かつ周方向に回動可能に支持されている。凹溝３３ａの先端側（送風管３０の先端側）にはコイルスプリング（付勢部材）４３が設けられており、スロットルロッド４２はスロットルワイヤ４１が接続された基端側（一端側）に付勢されている。
【００１６】
第１伝達機構４４はスロットルレバー３５の操作をスロットルロッド４２の長手方向の移動として伝達するものである。第１伝達機構４４は、スロットルレバー３５のアーム部３５ｂに接続した第１リンクワイヤ４４ａと、スロットルロッド４２に取り付けたジョイント４４ｂと、第１リンクワイヤ４４ａとジョイント４４ｂとを接続するＬ形のリンク４４ｃとを備えている。
【００１７】
図２に示したように、第１リンクワイヤ４４ａはグリップ３４内にて上下方向に延び、第１リンクワイヤ４４ａの上端はスロットルレバー３５のアーム部３５ｂに接続され、第１リンクワイヤ４４ａの下端はリンク４４ｃに接続されている。スロットルレバー３５をグリップ３４側に引くと、スロットルレバー３５のアーム部３５ｂが回動軸部３５ａを中心に上側に回動（上動）し、第１リンクワイヤ４４ａは上側に回動（上動）するアーム部３５ｂとともに上動する。
【００１８】
図３に示したように、ジョイント４４ｂは板金部材を加工してスロットルロッド４２を挟むように下側に開いた略ｎ字形の固定部４４ｂ１を備え、固定部４４ｂ１は抓みねじ４４ｂ２によってスロットルロッド４２に締め付け固定されている。ジョイント４４ｂの固定部４４ｂ１は抓みねじ４４ｂ２を弛めることによりスロットルロッド４２の長手方向に移動させることができる。図２に示したように、固定部４４ｂ１の上側には連結片部４４ｂ３が延出しており、連結片部４４ｂ３にはリンク４４ｃが接続されている。連結片部４４ｂ３は外側に広がるように折り曲げられている。
【００１９】
図２に示したように、リンク４４ｃは前後方向に延びる第１腕部４４ｃ１と、第１腕部４４ｃ１の後端から下側に延びる第２腕部４４ｃ２とを備えている。リンク４４ｃは、第１及び第２腕部４４ｃ１，４４ｃ２の交わる位置に設けた回動軸部４４ｃ３がグリップ３４に回動可能に軸支されている。第１腕部４４ｃ１の前端部には第１リンクワイヤ４４ａの下端が接続されており、第２腕部４４ｃ２の下端部にはジョイント４４ｂの連結片部４４ｂ３が接続されている。
【００２０】
第１伝達機構４４によるスロットルレバー３５の操作をスロットルロッド４２の長手方向の移動に伝達する機構を説明する。図２（ｂ）に示したように、スロットルレバー３５をグリップ３４側に引くと、スロットルレバー３５のアーム部３５ｂが上側に回動（上動）し、第１伝達機構４４の第１リンクワイヤ４４ａがアーム部３５ｂとともに上動する。第１リンクワイヤ４４ａが上動すると、リンク４４ｃの第１腕部４４ｃ１が回動軸部４４ｃ３を支点に上側に回動し、第２腕部４４ｃ２の下端部は回動軸部４４ｃ３を支点に前側に回動（前動）する。リンク４４ｃの第２腕部４４ｃ２の下端部が前側に回動すると、ジョイント４４ｂ及びジョイント４４ｂを取り付けたスロットルロッド４２が長手方向にて前側に移動する。スロットルロッド４２が長手方向にて前側に移動すると、スロットルワイヤ４１が引っ張られ、エンジン２３のスロットルバルブ２３ｂがスロットルワイヤ４１により開放されて、エンジン２３はスロットルバルブ２３ｂの開度に応じた出力で駆動する。
【００２１】
図２に示したように、エンジン２３とストップレバー３６との間には、エンジン２３を停止させる停止スイッチ４５と、停止スイッチ４５を押動する押動部材４６と、押動部材４６を回動させるスロットルロッド４２と、第２伝達機構４７とが設けられている。停止スイッチ４５は送風管３０の真直管３３の基端部にてスロットルロッド４２の基端部近傍に設けられており、エンジン２３の点火プラグ２３ｃに電気的に接続されている。停止スイッチ４５は押動により点火プラグ２３ｃへの給電を停止することで、エンジン２３の駆動を停止させる。
【００２２】
押動部材４６は停止スイッチ４５を押動するものである。図４に示したように、押動部材４６はスロットルロッド４２の基端部に固定された固定部４６ａと、固定部４６ａの上縁から停止スイッチ４５の上側に延びる操作片部４６ｂとを有したＬ字形の板金部材よりなる。スロットルロッド４２をその周方向に回動させると、押動部材４６の操作片部４６ｂが下側に回動して停止スイッチ４５を押動する。
【００２３】
第２伝達機構４７は、ストップレバー３６の操作をスロットルロッド４２の回動として伝達するものである。第２伝達機構４７は、ストップレバー３６に接続した第２リンクワイヤ４７ａと、スロットルロッド４２に取り付けたジョイント４４ｂとから構成される。第２リンクワイヤ４７ａはグリップ３４内にて上下方向延び、第２リンクワイヤ４７ａの上端はストップレバー３６の前後方向の中間部に接続されている。図３に示したように、第２リンクワイヤ４７ａの下端部はジョイント４４ｂの連結片部４４ｂ３側に膨らむように略円形に折り曲げられた膨らみ部４７ａ１となっており、膨らみ部４７ａ１はジョイント４４ｂの連結片部４４ｂ３に係止している。
【００２４】
第２伝達機構４７によるストップレバー３６の操作をスロットルロッド４２の回動に伝達する機構を説明する。ストップレバー３６を上側に回動させると、第２リンクワイヤ４７ａがストップレバー３６とともに上側に移動する。図３に示したように、第２リンクワイヤ４７ａが上側に移動すると、第２リンクワイヤ４７ａの下端部の膨らみ部４７ａ１はジョイント４４ｂの連結片部４７ｂ２を押し、ジョイント４４ｂを取り付けたスロットルロッド４２がその周方向に回動する。スロットルロッド４２が回動すると、スロットルロッド４２の基端部の押動部材４６も回動し、押動部材４６の操作片部４６ｂが停止スイッチ４５を押動する。停止スイッチ４５が押動されると、エンジン２３の点火プラグ２３ｃへの給電が停止され、エンジン２３の駆動が停止する。
【００２５】
上記のように構成した背負式ブロワ１０の作動について説明する。作業者は背負フレーム１１を背負い、図２（ａ）及び（ｂ）に示しようように、グリップ３４を把持した右手の人差し指でスロットルレバー３５をグリップ３４側に引くと、スロットルロッド４２が第１伝達機構４４によってスロットルレバー３５の操作量（引き代）に応じて前側に移動し、スロットルワイヤ４１がスロットルロッド４２の前側への移動量により応じて引っ張られ、エンジン２３のスロットルバルブ２３ｂがスロットルワイヤ４１により引かれる長さに応じて開放され、エンジン２３はスロットルバルブ２３ｂの開度に応じた出力にて駆動軸を回転させる。エンジン２３の駆動によって遠心ファン２２が回転し、ボリュート２１の前面側の吸気口から吸い込まれた空気が噴出ダクト２１ａから噴き出し、噴出ダクト２１ａから噴き出した空気は送風管３０を通って地面に噴き出される。作業者は把持したグリップ３４を左右方向に回動させることにより、作業者の前側の地面に広範囲に散る落葉等を吹き集めることができる。また、背負式ブロワ１０を用いた作業を終了するときには、作業者はグリップ３４のストップレバー３６を上側に回動させると、スロットルロッド４２が第２伝達機構４７によって周方向に回動し、停止スイッチ４５がスロットルロッド４２とともに回動する押動部材４６によって押動され、エンジン２３は点火プラグ２３ｃへの給電が停止されて駆動停止する。
【００２６】
この背負式ブロワ１０では、作業者の体格に応じてグリップ３４を送風管３０の真直管３３にて長手方向に位置を変えて使用することがある。図５（ａ）及び（ｂ）に示したように、グリップ３４を真直管３３の長手方向に移動させたときには、ジョイント４４ｂの抓みねじ４４ｂ２を弛めて、ジョイント４４ｂをグリップ３４の移動に応じてスロットルロッド４２の長手方向に移動させ、抓みねじ４４ｂ２を締めることでジョイント４４ｂをスロットルロッド４２に再び固定する。このように、グリップ３４を真直管３３の長手方向に移動させたときに、第１伝達機構４４を構成するジョイント４４ｂをグリップ３４とともにスロットルロッド４２に長手方向に移動させて取り付けるようにしているため、スロットルワイヤ４１はグリップ３４の位置に関わらず弛まないようになる。これにより、グリップ３４の位置に関わらず、スロットルレバー３５の操作量に応じてスロットルワイヤ４１を一定に引っ張ることができ、スロットルレバー３５の操作量に対するエンジン２３の出力を一定とすることができた。
【００２７】
また、グリップ３４を真直管３３の長手方向に移動させたときに、第２伝達機構４７も構成するジョイント４４ｂをグリップ３４とともにスロットルロッド４２に長手方向に移動させて取り付けるようにしているため、グリップ３４の位置に関わらず、ストップレバー３６の操作によってエンジン２３の駆動を停止させることができるようになった。
【００２８】
上述した背負式ブロワ１０は背負式送風作業機の一実施形態であるが、本発明はこれに限られるものでなく、図６に示したように、背負式送風作業機の他の実施形態として背負式集塵機にも適用可能である。背負式集塵機１０は、作業者が背負う背負フレーム１１と、背負フレーム１１に搭載されて、エンジン２３により駆動される遠心ファン（ファン）２２の回転によって空気を吸引するブロワユニット２０と、ブロワユニット２０の空気を吸引する吸気ダクト（通風ダクト）２１ａに連通接続させた吸引管（通風管）３０（３１〜３３）と、吸引管３０にその長手方向にて位置調整可能に取り付けたグリップ３４と、グリップ３４に設けられて、エンジン２３のスロットルバルブ２３ｂ（図２と同様であるので図６では省略）の開度調整の操作するスロットルレバー３５と、一端がエンジン２３のスロットルバルブ２３ｂに接続され、スロットルレバー３５の操作をスロットルバルブに伝達するスロットルワイヤ４１（図２と同様であるので図６では省略）とを備えている。
【００２９】
この背負式集塵機１０においても上述した背負式ブロワ１０と同様に、吸引管３０（送風管３０と同様であるので詳細な説明は省略）にはその長手方向に延出するとともにその長手方向に移動可能に支持され、スロットルワイヤ４１の他端が固定されたスロットルロッド４２（図２と同様であるので図６では省略）と、スロットルレバー３５とスロットルロッド４２とに接続され、スロットルレバー３５の操作をスロットルロッド４２の長手方向の移動として伝達する第１伝達機構４４（図２と同様であるので図６では省略）とを設け、第１伝達機構４４をスロットルロッド４２の長手方向に移動可能に取り付けられている。また、スロットルロッド４２はその周方向にて吸引管３０に回動可能に支持され、吸引管３０にはエンジン２３の駆動を停止させる停止スイッチ４５（図２と同様であるので図６では省略）と、スロットルロッド４２に取り付けられて、スロットルロッド４２を回動させたときに停止スイッチ４５を押動する押動部材４６（図２と同様であるので図６では省略）と、グリップ３４に設けられて、エンジン２３の駆動を停止させるように操作するストップレバー３６と、ストップレバー３６とスロットルロッド４２とに接続されて、ストップレバー３６の操作によりスロットルロッド４２を回動させる第２伝達機構４７（図２と同様であるので図６では省略）とを備え、第２伝達機構４７をスロットルロッド４２の長手方向に移動可能に取り付けるようにしている。このようにしたときにも、上述した背負式ブロワ１０と同様に、グリップ３４の真直管３３の取り付け位置に関わらず、スロットルレバー３５の操作量に応じてスロットルワイヤ４１を一定に引っ張ることができ、スロットルレバー３５の操作量に対するエンジン２３の出力を一定とすることができ、ストップレバー３６の操作によっても同様にエンジン２３の駆動を停止させることができるようになった。
【００３０】
なお、スロットルロッド４２を非導電材料で形成すれば、エンジンなどで発生した静電気のグリップへの伝搬を防止することができる。
【符号の説明】
【００３１】
１０…背負式送風作業機（背負式ブロワ）、１１…背負フレーム、２０…ブロワユニット、２１ａ…通風ダクト（噴出ダクト、吸引ダクト）、２２…ファン（遠心ファン）、２３…エンジン、３０…通風管（送風管、吸引管）、３４…グリップ、３５…スロットルバルブ、３６…ストップレバー。
【図１】
2017048772.tif 000003
【図２】
2017048772.tif 000004
【図３】
2017048772.tif 000005
【図４】
2017048772.tif 000006
【図５】
2017048772.tif 000007
【図６】
2017048772.tif 000008